(57)【特許請求の範囲】
【請求項１】
最上階の上部に設けた巻上機シーブに巻掛けられた第１のメインロープの一端に吊り合い重りを、前記第１のメインロープの他端にかごをそれぞれ接続して、前記吊り合い重りを最上階付近に、前記かごを最下階付近に位置させ、前記かごに、第２のメインロープが巻き付けられたメインロープドラムを乗せるとともに、コンペイセーティングロープの一端を前記かごに接続し、
前記巻上機シーブの回転により前記メインロープドラムを乗せたかごを最上階付近に移動させ、前記最下階に位置する前記吊り合い重りに前記コンペンセーティングロープの他端を接続するとともに、前記メインロープドラムから引き出した第２のメインロープの一端側を前記吊り合い重り側から前記巻上機シーブに巻掛けた後、前記かごに接続し、
前記メインロープドラムから第２のメインロープを繰り出しつつ前記かごを前記メインロープドラムとともに下降させ、前記最上階と前記最下階との間に位置する中間階で前記第２のメインロープの他端を前記吊り合い重りに接続することを特徴とするエレベータのロープ据付方法。
【請求項２】
最上階の上部に設けた巻上機シーブに巻掛けられた第１のメインロープの一端に吊り合い重りを、前記第１のメインロープの他端にかごをそれぞれ接続して、前記吊り合い重りを最上階付近に、前記かごを最下階付近に位置させ、前記かごに、第２のメインロープが巻き付けられたメインロープドラムを乗せ、
前記巻上機シーブの回転により前記メインロープドラムを乗せたかごを最上階付近に移動させ、前記最下階に位置する前記吊り合い重りに前記コンペンセーティングロープの一端を接続するとともに、前記メインロープドラムから引き出した第２のメインロープの一端側を前記吊り合い重り側から前記巻上機シーブに巻掛けた後、前記かごに接続し、
前記メインロープドラムから第２のメインロープを繰り出しつつ前記かごを前記メインロープドラムとともに下降させ、前記最上階と前記最下階との間に位置する中間階で前記第２のメインロープの他端を前記吊り合い重りに接続した後、
前記巻上機シーブの回転により前記メインロープドラムを乗せたかごを前記最下階まで移動させて、このかごに前記コンペンセーティングロープの他端を接続することを特徴とするエレベータのロープ据付方法。
【発明の詳細な説明】
【０００１】
【発明の属する技術分野】
この発明は、エレベータのロープの両端を吊り合い重りとかごとにそれぞれ接続するエレベータのロープ据付方法に関する。
【０００２】
【従来の技術】
従来における、特に高層建築に設置されるエレベータのロープ据付方法を図９に基づき説明する。なお、ここでは、かご１と吊り合い重り３とにロープ端部が直接接続される１：１ローピングの場合について述べる。また、説明を簡単にするために、ロープ掛け時のかご１と吊り合い重り３は等しい重量とし、メインロープ５とコンペンロープ（コンペンセーティングロープ）７の取付本数および単位長さ当たりの重量は等しく、巻上機９のシーブ１１のトラクション限界値は、昇降行程の半分のロープ荷重分とし、それより大きいロープ荷重分でロープが滑り出すものとする。さらに、メインロープドラム１３の重さは、ロープの重さに比べて充分小さく、無視できるものとする。
【０００３】
昇降路上部における機械室の巻上機９、図示しないガイドレール、かご１、吊り合い重り３、昇降路下部におけるコンペンロープ７のシーブ１５が、それぞれ据付けられた状態から説明する。かご１または吊り合い重り３の重量を、Ｍｋｇ、メインロープ５またはコンペンロープ７の全本数合計の重量を、ｍｋｇとする。
【０００４】
（手順１）
図９（ａ）のように、吊り合い重り３を最下階付近に、かご１を最上階付近に、それぞれ図示しない揚重機で吊る。
【０００５】
（手順２）
図９（ｂ）のように、最上階出入口前に最初のメインロープドラム１３を搬入し、メインロープ５の先端を機械室に引き上げて巻上機９のシーブ１１に巻掛けた後、吊り合い重り３側に降ろし、メインロープドラム１３を回転させながら、最下階まで降ろし、図９（ｃ）のように、吊り合い重り３にその先端を接続するとともに、メインロープ５の他端をかご１に接続する。これにより、１本のメインロープ５のセットが完了する。
【０００６】
このとき、メインロープドラム１３にブレーキ装置を設け、自重によるメインロープ５の落下を防止する。
【０００７】
（手順３）
上記した手順２の動作を繰り返し、残りのメインロープ５を順次接続する。この時点では、かご１と吊り合い重り３とは、揚重機で吊られているので、メインロープ５が、自重によるトラクション不足で滑ることはない。この場合、吊り合い重り３側が、かご１側に比べて取り付けた全本数のメインロープ５の自重分：ｍｋｇだけ重くなっている。
【０００８】
（手順４）
図９（ｄ）のように、コンペンロープ７のドラム１７を最下階出入口前に搬入し、コンペンロープ７全数の一端を吊り合い重り３に接続する。
【０００９】
このとき、かご１には、吊り合い重り３側のメインロープ５の全本数の半分の重量：［ｍ／２］ｋｇに相当する重り１９を載せる。次に、揚重機を外し、巻上機９によりコンペンロープ７を引き出しつつ、かご１を下降させる。
【００１０】
このときのかご下げ前の図９（ｄ）の状態でのかご１側と吊り合い重り３側の重量は、前者が［Ｍ＋（ｍ／２）］ｋｇ、後者が［Ｍ＋ｍ］ｋｇであり、吊り合い重り３側が重い重量差となっている。
【００１１】
（手順５）
図９（ｅ）のように、中間階で重り１９をかご１から降ろし、さらにかご１を図９（ｆ）のように最下階付近まで降ろす。
【００１２】
中間階で重り１９を降ろしたときのかご側の重量は、［Ｍ＋（ｍ／２）］ｋｇ、吊り合い重り３側の重量は、［Ｍ＋（ｍ／２）＋（ｍ／２）］ｋｇであり、吊り合い重り３側が重い重量差となる。
【００１３】
また、最下階までかご１を降ろしたときのかご側の重量は、［Ｍ＋ｍ］ｋｇ、吊り合い重り３側の重量は、［Ｍ＋ｍ］ｋｇとなり、重量差は零である。
【００１４】
（手順６）
図９（ｆ）のように、コンペンロープ７の全数の他端を、かご１に接続し、これによりロープ据付作業が完了する。
【００１５】
上記した手順では、メインロープ５およびコンペンロープ７を、全数一度に取り付けるようにしたが、それぞれ複数回に分けて取り付けるようにしてもよい。
【００１６】
【発明が解決しようとする課題】
上記した従来のロープ据付方法では、メインロープ５のアンバランス荷重による巻上機シーブ１１のトラクション不足を解消するために、最上階でかご１に重り１９を載せ、その重り１９を中間階で降ろす作業が必要であり、このため重り１９を昇降路とは別経路にて最上階まで揚重するなど、極めて煩雑な作業が必要となっている。また、メインロープドラム１３も最上階まで揚重する必要があるうえ、メインロープドラム１３にはブレーキ装置も必要であり、上記した揚重作業がさらに煩雑なものとなる。さらに、図９（ｂ）のように、メインロープ５を最上階付近から最下階まで昇降路内を降ろす際に、昇降路内の機器に絡まるなどの不具合が発生することがある。さらに、中間階に重り１９を降ろす出入口が必要である。
【００１７】
そこで、この発明は、エレベータのロープの据付作業を容易なものとすることを目的としている。
【００１８】
【課題を解決するための手段】
前記目的を達成するために、請求項１の発明は、最上階の上部に設けた巻上機シーブに巻掛けられた第１のメインロープの一端に吊り合い重りを、前記第１のメインロープの他端にかごをそれぞれ接続して、前記吊り合い重りを最上階付近に、前記かごを最下階付近に位置させ、前記かごに、第２のメインロープが巻き付けられたメインロープドラムを乗せるとともに、コンペイセーティングロープの一端を前記かごに接続し、前記巻上機シーブの回転により前記メインロープドラムを乗せたかごを最上階付近に移動させ、前記最下階に位置する前記吊り合い重りに前記コンペンセーティングロープの他端を接続するとともに、前記メインロープドラムから引き出した第２のメインロープの一端側を前記吊り合い重り側から前記巻上機シーブに巻掛けた後、前記かごに接続し、前記メインロープドラムから第２のメインロープを繰り出しつつ前記かごを前記メインロープドラムとともに下降させ、前記最上階と前記最下階との間に位置する中間階で前記第２のメインロープの他端を前記吊り合い重りに接続することを特徴とするエレベータのロープ据付方法としてある。
【００１９】
請求項２の発明は、最上階の上部に設けた巻上機シーブに巻掛けられた第１のメインロープの一端に吊り合い重りを、前記第１のメインロープの他端にかごをそれぞれ接続して、前記吊り合い重りを最上階付近に、前記かごを最下階付近に位置させ、前記かごに、第２のメインロープが巻き付けられたメインロープドラムを乗せ、前記巻上機シーブの回転により前記メインロープドラムを乗せたかごを最上階付近に移動させ、前記最下階に位置する前記吊り合い重りに前記コンペンセーティングロープの一端を接続するとともに、前記メインロープドラムから引き出した第２のメインロープの一端側を前記吊り合い重り側から前記巻上機シーブに巻掛けた後、前記かごに接続し、前記メインロープドラムから第２のメインロープを繰り出しつつ前記かごを前記メインロープドラムとともに下降させ、前記最上階と前記最下階との間に位置する中間階で前記第２のメインロープの他端を前記吊り合い重りに接続した後、前記巻上機シーブの回転により前記メインロープドラムを乗せたかごを前記最下階まで移動させて、このかごに前記コンペンセーティングロープの他端を接続することを特徴とするエレベータのロープ据付方法としてある。
【００２０】
また、最上階の上部に設けた巻上機シーブに巻掛けられた第１のメインロープの一端に吊り合い重りを、前記第１のメインロープの他端にかごをそれぞれ接続して、前記吊り合い重りを最上階付近に、前記かごを最下階付近に位置させ、前記かごに、第２のメインロープが巻き付けられたメインロープドラムを乗せ、前記巻上機シーブの回転により前記メインロープドラムを乗せたかごを最上階付近に移動させた後、前記メインロープドラムから引き出した第２のメインロープの一端側を前記吊り合い重り側から前記巻上機シーブに巻掛けた後、前記かごに接続し、前記メインロープドラムから第２のメインロープを繰り出しつつ前記かごを前記メインロープドラムとともに下降させ、前記最上階と前記最下階との間に位置する中間階で前記第２のメインロープの他端を前記吊り合い重りに接続するに際し、前記吊り合い重りを、前記最上階の上部に設置した吊り上げ手段により前記最上階付近まで吊り上げ、この吊り合い重りを前記最上階の上部に設置した保持手段により保持させてこの保持手段に吊り代え、前記最下階にて、昇降路に沿って配置されるガイドレールに移動可能に設けたガイド部に前記吊り上げ手段のワイヤを接続するとともに、前記第１のメインロープの一端を、前記最上階付近に設置した仮設足場に設けた孔を通して前記巻上機シーブまで引き上げ、前記ガイド部に前記第１のメインロープの一端から所定長さ分に対応する位置を接続し、前記ワイヤおよび前記第１のメインロープをそれぞれ接続した前記ガイド部を、前記吊り上げ手段により前記ガイドレールに沿って前記最上階付近まで上昇させ、前記第１のメインロープの一端側を前記巻上機シーブに巻掛けた後、その一端を前記保持手段に保持されている前記吊り合い重りに接続するとともに、前記第１のメインロープの他端を、前記最下階に位置する前記かごに接続するエレベータのロープ据付方法としてもよい。これにより、最上階付近でかごに重りを載せる作業および、中間階でかごから重りを降ろす作業が不要であり、ロープ据付作業が容易にできる。さらに、第１のメインロープの据付時に、第１のメインロープを最上階付近から最下階付近まで昇降路内を降ろす必要がなく、このため第１のメインロープが昇降路内の機器に絡まるなどの不具合発生を防止でき、またメインロープドラムにブレーキ装置を設ける必要もなく、ロープ据付作業を容易に行うことができる。また、メインロープの一端を仮設足場の孔を通すことで、その後の巻上機シーブまでのメインロープの引き上げ作業が容易となる。
【００２１】
なお、吊り合い重りを、最上階の上部に設置した吊り上げ手段により前記最上階付近まで吊り上げ、この吊り合い重りを前記最上階の上部に設置した保持手段により保持させてこの保持手段に吊り代え、前記吊り上げ手段のワイヤの両端を、昇降路に沿って配置される２つのガイドレールにそれぞれ移動可能に設けた二つのガイド部にそれぞれ接続するとともに、前記かご側のガイドレールに設けた最下階付近に位置する一方のガイド部にメインロープの一端を接続し、前記吊り上げ手段により前記一方のガイド部を前記メインロープの一端とともにガイドレールに沿って前記最上階付近まで上昇させて、前記メインロープの一端側を、前記最上階の上部に設けた巻上機シーブに巻掛けた後、その一端を前記保持手段に保持されている前記吊り合い重りに接続するとともに、前記メインロープの他端を、前記最下階に位置するかごに接続するエレベータのロープ据付方法としてもよい。これにより、最上階付近でかごに重りを載せる作業および、中間階でかごから重りを降ろす作業が不要であり、メインロープドラムにブレーキ装置を設ける必要もなく、ロープ据付作業が容易にできる。
【００２２】
この場合、前記一方のガイド部の上昇に伴って前記最下階付近まで移動した前記吊り合い重り側のガイドレールに設けた他方のガイド部に、コンペンセーティングロープの一端を接続した状態で、前記吊り上げ手段により前記他方のガイド部を前記コンペンセーティングロープの一端とともに前記最上階付近まで上昇させて前記吊り合い重りに接続し、前記コンペンセーティングロープの他端を前記最下階にて前記かごに接続するものとしてもよい。これにより、吊り上げ手段を駆動してガイド部を移動させるときには、メインロープとコンペンセーティングロープとのいずれかを吊り上げて上昇させているので、効率よくロープ据付作業を行うことができる。
【００２３】
また、これらの場合、前記メインロープの一端を、前記最上階付近に設置した仮設足場に設けた孔を通して前記巻上機シーブまで引き上げるものとしてもよい。これにより、メインロープの一端を仮設足場の孔を通すことで、その後の巻上機シーブまでのメインロープの引き上げ作業が容易となる。
【００２４】
また、昇降路に沿って配置されたガイドレールに沿って上下方向に移動可能に設けたロープガイド装置であって、前記ガイドレールは、互いに平行に配置された２本のレールで構成され、この２本のレールに対して転動するガイドローラを両端に備えたローラ支持部と、このローラ支持部に下部が連結され、上部に吊り合い重りとかごとを相互に接続するロープの一端側が接続されるロープ接続部とを有する構成のロープガイド装置としてもよい。これにより、ロープの一端をロープ接続部に接続した状態でロープガイド装置をガイドレールに沿って上昇させることで、ロープの昇降路内の機器への絡まりを防止でき、ロープの据付作業を容易に行うことができる。
【００２５】
この場合、前記ローラ支持部は前記両端のガイドローラ相互間の長さが可変となっている構成としてもよい。これにより、２本のレール相互間の寸法が異なるガイドレールに対応することができる。
【００２６】
また、これらの場合、前記両端の各ガイドローラは、上下方向に複数設けられている構成としてもよい。これにより、ロープガイド装置は、ガイドレールにガイドされて移動する際に安定した動作がなされる。
【００２７】
【発明の実施の形態】
以下、この発明の実施の形態を図面に基づき説明する。
【００２８】
図１ないし図３は、この発明の実施の一形態を示すエレベータのロープ据付方法を示している。なお、ここでは、説明を簡単にするため、下記条件で行うものとする。
【００２９】
吊り合い重り２１の重量は、（かご２３＋メインロープ２５の２本分）の重量と等しく、メインロープ２５およびコンペンセーティングロープ（以下、コンペンロープと呼ぶ）２７は、それぞれ５本使用し、単位長さ当たりの重量は互いに等しいものとする。また、機械室２９に設置してある巻上機３１のシーブ３３のトラクション限界値は、メインロープ２５またはコンペンロープ２７の５本分の荷重の半分より大きいものとする。なお、吊り合い重り２１は、重り枠２１ａに適数の重り本体２１ｂが搭載されたものである。
【００３０】
ここで、かご２３の重量を［Ｍ］ｋｇ，メインロープ２５またはコンペンロープ２７の５本分の総重量を［ｍ］ｋｇとすると、各ロープ１本あたり［ｍ／５］ｋｇであり、吊り合い重り２１の重量は、［Ｍ＋２ｍ／５］ｋｇとなり、トラクション限界値は、［ｍ／２］ｋｇとなる。
【００３１】
（手順１）  図１（ａ）のように、吊り合い重り２１を最上階３５付近に、かご２３を最下階３７付近に、それぞれ図示しない吊り上げ手段としての揚重機で吊る。最上階３５には、仮設足場３９が設置されており、この仮設足場３９には、メインロープ２５が通る孔３９ａが設けられている。
【００３２】
（手順２）
最下階３７の出入口前に、最初のメインロープドラム４１をセットし、後述する方法でメインロープ（第１のメインロープ）２５の一端側を巻上機３１まで引き上げ、巻上機３１のシーブ３３に巻掛けた後、図１（ｂ）のように、吊り合い重り２１に接続するとともに、他端をかご２３に接続する。
【００３３】
上記作業を２度繰り返し、メインロープ（第１のメインロープ）２５を２本セットする。
【００３４】
（手順３）
図１（ｃ）のように、最下階３７で、かご２３にメインロープドラム４１ａを１つ載せ、コンペンロープドラム４３から引き出したコンペンロープ２７の一端をかご２３の床下に接続する。
【００３５】
このときのかご２３側の重量は、
かご自重＋メインロープ２本分＋かご内メインロープ
＝［Ｍ＋２（ｍ／５）＋（ｍ／５）］ｋｇ
＝［Ｍ＋３（ｍ／５）］ｋｇ
となり、吊り合い重り２１側の重量は、吊り合い重り自重のみであるので、
［Ｍ＋２（ｍ／５）］ｋｇ
であり、かご２３側が［ｍ／５］ｋｇ重い重量差となる。この重量差は、トラクション限界値［ｍ／２］ｋｇ以下であり、ロープの滑りは発生しない。
【００３６】
なお、メインロープドラム４１ａの重さは、メインロープ２５ａの重さに比べて充分小さく、無視できるものとしてある。
【００３７】
（手順４）
吊り合い重り２１およびかご２３を吊っている図示しない揚重機と、仮設足場３５を撤去してから、図１（ｄ）のように、巻上機３１によりかご２３を最上階付近まで上昇させてコンペンロープドラム４３からコンペンロープ２７を引き出す。
【００３８】
このときのかご２３側の重量は、
かご自重＋コンペンロープ１本＋かご内メインロープ
＝［Ｍ＋（ｍ／５）＋（ｍ／５）］ｋｇ
＝［Ｍ＋２（ｍ／５）］ｋｇ
となり、吊り合い重り２１側の重量は、
吊り合い重り自重＋メインロープ２本
＝［Ｍ＋２（ｍ／５）＋２（ｍ／５）］ｋｇ
＝［Ｍ＋４（ｍ／５）］ｋｇ
であり、吊り合い重り２１側が［２（ｍ／５）］ｋｇ重い重量差となる。この重量差は、トラクション限界値［ｍ／２］ｋｇ以下であり、ロープの滑りは発生しない。
【００３９】
（手順５）
図１（ｅ）のように、最下階３７で１本目のコンペンロープ２７の他端を、ピットＰ内のシーブ４２の下部を通して吊り合い重り２１に接続し、図１（ｆ）のように、２本目のコンペンロープ２７ａをコンペンロープドラム４３ａから引き出して、シーブ４２の下部を通して吊り合い重り２１に接続する。これにより、メインロープ２本とコンペンロープ１本がセットされた状態となる。符号４４は、緩衝器である。
【００４０】
（手順６）  さらに、図１（ｆ）のように、最上階３５にて、かご２３に載せたメインロープドラム４１ａからメインロープ（第２のメインロープ）２５ａを引き出し、引き出したメインロープ２５ａの一端側を吊り合い重り２１側から巻上機３１のシーブ３３に巻掛けた後、その端部をかご２３に接続する。
【００４１】
（手順７）
図２（ａ）に示すように、巻上機３１により、かご２３と吊り合い重り２１がほぼ同じ高さ位置（ほぼ中間階４５付近）になるまでかご２３を下げる。このかご２３の下降に伴って、かご３内のメインロープ２５ａが順次繰り出される。
【００４２】
（手順８）
図２（ｂ）に示すように、かご２３内のメインロープ２５ａの他端を吊り合い重り２１に接続する。
【００４３】
このときのかご２３側の重量は、
かご自重＋メインロープ３本の半分＋コンペンロープ１本の半分            ＝［Ｍ＋３（ｍ／５）／２＋（ｍ／５）／２］ｋｇ
＝［Ｍ＋２（ｍ／５）］ｋｇ
となり、吊り合い重り２１側の重量は、
吊り合い重り自重＋メインロープ３本の半分＋コンペンロープ２本の半分
＝［Ｍ＋２（ｍ／５）＋３（ｍ／５）／２＋２（ｍ／５）／２］ｋｇ          ＝［Ｍ＋９（ｍ／１０）］ｋｇ
であり、吊り合い重り２１側が［（ｍ／２）］ｋｇ重い重量差となる。この重量差は、トラクション限界値［ｍ／２］ｋｇと同じであり、ロープの滑りは発生しない。
【００４４】
（手順９）
図２（ｃ）のように、巻上機３１により、かご２３を最下階３７まで下げることで、２本目のコンペンロープ２７ａがコンペンロープドラム４３ｂから引き出され、このコンペンロープ２７ａの他端をかご２３の床下に接続する。これにより、メインロープ３本とコンペンロープ２本がセットされた状態となる。
【００４５】
このときのかご２３側の重量は、
かご自重＋メインロープ３本
＝［Ｍ＋３（ｍ／５）］ｋｇ
となり、吊り合い重り２１側の重量は、
吊り合い重り自重＋コンペンロープ２本
＝［Ｍ＋２（ｍ／５）＋２（ｍ／５）］ｋｇ
＝［Ｍ＋４（ｍ／５）］ｋｇ
であり、吊り合い重り２１側が［（ｍ／５）］ｋｇ重い重量差となる。この重量差は、トラクション限界値［ｍ／２］ｋｇ以下であり、ロープの滑りは発生しない。
【００４６】
さらに、図２（ｃ）のように、４本目のメインロープ２５ｂが巻き付けられたメインロープドラム４１ｂをかご２３に載せ、３本目のコンペンロープ２７ｂをコンペンロープドラム４３ｂから引き出してその一端をかご２３の床下に接続する。
【００４７】
このときのかご２３側の重量は、
かご自重＋メインロープ３本＋かご内メインロープ１本
＝［Ｍ＋３（ｍ／５）＋（ｍ／５）］ｋｇ
＝［Ｍ＋４（ｍ／５）］ｋｇ
となり、吊り合い重り２１側の重量は、
吊り合い重り自重＋コンペンロープ２本
＝［Ｍ＋２（ｍ／５）＋２（ｍ／５）］ｋｇ
＝［Ｍ＋４（ｍ／５）］ｋｇ
であり、重量差が零となり、ロープの滑りは発生しない。
【００４８】
（手順１０）
メインロープドラム４１ｂを載せたかご２３を、図２（ｄ）のように最上階３５まで移動させ、このときコンペンロープドラム４３ｂから繰り出される３本目のコンペンロープ２７ｂの末端を、最下階３７に移動している吊り合い重り２１に接続する。これにより、メインロープ３本とコンペンロープ３本がセットされた状態となる。
【００４９】
このときのかご２３側の重量は、
かご自重＋かご内メインロープ＋コンペンロープ３本
＝［Ｍ＋（ｍ／５）＋３（ｍ／５）］ｋｇ
＝［Ｍ＋４（ｍ／５）］ｋｇ
となり、吊り合い重り２１側の重量は、
吊り合い重り自重＋メインロープ３本
＝［Ｍ＋２（ｍ／５）＋３（ｍ／５）］ｋｇ
＝［Ｍ＋ｍ］ｋｇ
であり、吊り合い重り２１側が［ｍ／５］ｋｇ重い重量差となる。この重量差は、トラクション限界値［ｍ／２］ｋｇ以下であり、ロープの滑りは発生しない。
【００５０】
（手順１１）
図２（ｅ）のように、最上階３５のかご２３に載せたロープドラム４１ｂから４本目のメインロープ２５ｂを引き出し、吊り合い重り２１側から巻上機３１のシーブ３３に掛けた後、その先端をかご２３に接続する。また、このとき最下階３７では４本目のコンペンロープ２７ｃをコンペンロープドラム４３ｃから引き出し、その先端を吊り合い重り２１に接続する。
【００５１】
（手順１２）
図２（ｆ）のように、巻上機３１により、かご２３と吊り合い重り２１とが同じ高さとなるまでかご２３を降ろし、これに伴いかご２３内のメインロープドラム４１ｂから繰り出されるメインロープ２５ｂの末端を、吊り合い重り２１に接続する。
【００５２】
このときのかご２３側の重量は、
かご自重＋メインロープ４本の半分＋コンペンロープ３本の半分
＝［Ｍ＋４（ｍ／５）／２＋３（ｍ／５）／２］ｋｇ
＝［Ｍ＋７（ｍ／１０）］ｋｇ
となり、吊り合い重り２１側の重量は、
吊り合い重り自重＋メインロープ４本の半分＋コンペンロープ４本の半分
＝［Ｍ＋２（ｍ／５）＋４（ｍ／５）／２＋４（ｍ／５）／２］ｋｇ          ＝［Ｍ＋６（ｍ／５）］ｋｇ
であり、吊り合い重り２１側が［ｍ／２］ｋｇ重い重量差となる。この重量差は、トラクション限界値［ｍ／２］ｋｇと等しく、ロープの滑りは発生しない。
【００５３】
（手順１３）
図３（ａ）のように、かご２３を最下階まで降ろし、これに伴いコンペンロープドラム４３ｃから繰り出される４本目のコンペンロープ２７ｃの末端をかご２３に接続する。これにより、メインロープ４本とコンペンロープ４本がセットされた状態となる。
【００５４】
（手順１４）
かご２３と吊り合い重り２１が図３（ａ）の位置関係にある状態で、かご２３に５本目のメインロープ２５ｃが巻かれたメインロープドラム４１ｃを載せ、５本目のコンペンロープ２７ｄが巻かれたコンペンロープドラム４３ｄからコンペンロープ２７ｄを引き出し、その先端をかご２３の下部に接続する。
【００５５】
このときのかご２３側の重量は、
かご自重＋かご内メインロープ＋メインロープ４本            ＝［Ｍ＋（ｍ／５）＋４（ｍ／５）］ｋｇ
＝［Ｍ＋ｍ］ｋｇ
となり、吊り合い重り２１側の重量は、
吊り合い重り自重＋コンペンロープ４本
＝［Ｍ＋２（ｍ／５）＋４（ｍ／５）］ｋｇ
＝［Ｍ＋６（ｍ／５）］ｋｇ
であり、吊り合い重り２１側が［ｍ／５］ｋｇ重い重量差となる。この重量差は、トラクション限界値［ｍ／２］ｋｇ以下であり、ロープの滑りは発生しない。
【００５６】
次に、図３（ｂ）のように、巻上機３１により、メインロープドラム４１ｃを載せたかご２３を最上階３５へ移動させる。
【００５７】
このときのかご２３側の重量は、
かご自重＋かご内メインロープ＋コンペンロープ５本
＝［Ｍ＋（ｍ／５）＋ｍ］ｋｇ
＝［Ｍ＋６（ｍ／５）］ｋｇ
となり、吊り合い重り２１側の重量は、
吊り合い重り自重＋メインロープ４本
＝［Ｍ＋２（ｍ／５）＋４（ｍ／５）］ｋｇ
＝［Ｍ＋６（ｍ／５）］ｋｇ
であり、重量差が零となり、ロープの滑りは発生しない。
【００５８】
（手順１５）
図３（ｃ）のように、かご２３内のメインロープドラム４１ｃから５本目のメインロープ２５ｃを引き出し、吊り合い重り２１側から巻上機３１のシーブ３３に巻掛けた後、その先端をかご２３に接続する。また、最下階３７では、かご２３の上昇に伴いコンペンロープドラム４３ｄから繰り出される５本目のコンペンロープ２７ｄの末端を吊り合い重り２１に接続する。
【００５９】
（手順１６）
図３（ｄ）のように、メインロープドラム４１ｃが載せられたかご２３を中間階まで降ろす。
【００６０】
（手順１７）
上記かご２３の下降により、メインロープドラム４１ｃから繰り出されたメインロープ２５ｃの末端を、図３（ｅ）のように、吊り合い重り２１に接続する。
【００６１】
このときのかご２３側の重量は、
かご自重＋メインロープ５本の半分＋コンペンロープ５本の半分          ＝［Ｍ＋（ｍ／２）＋（ｍ／２）］ｋｇ
＝［Ｍ＋ｍ］ｋｇ
となり、吊り合い重り２１側の重量は、
吊り合い重り自重＋メインロープ５本の半分＋コンペンロープ５本の半分
＝［Ｍ＋２（ｍ／５）＋（ｍ／２）＋（ｍ／２）］ｋｇ
＝［Ｍ＋７（ｍ／５）］ｋｇ
であり、吊り合い重り２１側が［２（ｍ／５）］ｋｇ重い重量差となる。この重量差は、トラクション限界値［ｍ／２］ｋｇ以下であり、ロープの滑りは発生しない。
【００６２】
上記手順１７の作業によって、メインロープ５本とコンペンロープ５本がセットされ、全ロープのセットが完了する。
【００６３】
上記したように、（手順１）から（手順１７）にわたるロープ掛け作業時に、巻上機３１のシーブ３３に掛かるかご２３側と吊り合い重り２１側との重量差は、常にその限界値［ｍ／２］ｋｇ以下に抑えられるので、最上階３５でかご２３に重りを載せたり、その重りを中間階で降ろすなどの煩雑な作業が不要であり、またロープドラムにブレーキ装置を設ける必要もなく、ロープ据付作業が容易なものとなる。
【００６４】
次に、図４を用いて、上記した（手順１）における吊り合い重り２１の揚重方法、（手順２）におけるメインロープ２５の引き上げ方法およびセット方法について説明する。
【００６５】
（１） まず、図４（ａ）のように、最下階３７にある吊り合い重り２１を、機械室２９の下部に取り付けた吊り上げ手段としてのエンドレスウインチ４７によって吊り上げ、最上階３５まで上昇させる。このときの吊り合い重り２１は、重り枠２１ａに、エンドレスウインチ４７で揚重可能な適数の重り本体２１ｂを載せておく。
【００６６】
（２） その後、図４（ｂ）のように、吊り合い重り２１を機械室２９の下部に取り付けた保持手段としての揚重機４９に吊り代える。
【００６７】
次に、最下階３７で後述するガイド部としてのロープガイド装置５１の上端に、エンドレスウインチ４７のワイヤ５３を接続するとともに、メインロープドラム４１から引き出したメインロープ２５を接続する。このときメインロープ２５については、ロープガイド装置５１で仮設足場３９まで揚重したときに、先端が巻上機３１を介して吊り合い重り２１に接続できる長さを考慮した位置にてロープガイド装置５１に接続する。
【００６８】
（３） エンドレスウインチ４７を駆動し、図４（ｃ）のように、ロープガイド装置５１に接続されたメインロープ２５を、仮設足場３９の孔３９ａからロープガイド装置５１の先端（上端）部分が出るまで引き上げる。そして、メインロープ２５の先端を機械室２９の上部に設置した揚重機５５により機械室２９へ持ち上げる。
【００６９】
（４） 機械室２９へ持ち上げたメインロープ２５の先端を、図４（ｄ）のように、巻上機３１のシーブ３３に巻掛けた後、吊り合い重り２１側へ降ろし、吊り合い重り２１に接続する。メインロープ２５の末端は最下階でかご２３に接続する。
【００７０】
（５） 後工程で必要な残りの重り本体２１ａを、図４（ｅ）のように重り枠２１ｂに追加する。吊り合い重り２１の全体重量は、前述したように、（かご２３＋メインロープ２５の２本分）の重量と等しいので、追加する重り本体２１ｂ自体は、従来最上階にてかごに載せる重りに比べて充分軽く、したがって上記追加する重り本体２１ｂを最上階３５に運ぶ作業は容易に行える。
【００７１】
上記したように、メインロープ２５を吊り合い重り２１に接続する作業は、最下階３７からロープガイド装置５１を用いて引き上げるが、このとき最上階３５の仮設足場３９に設けた孔３９ａを通して機械室２９へ引き上げるようにしている。
【００７２】
また、図４（ｃ）のように、メインロープ２５を機械室２９へ引き上げる際に、ロープガイド装置５１にメインロープ２５を接続したまま、揚重機５５で揚重するので、メインロープ２５の先端部分の吊り代え作業が不要となる。
【００７３】
上記したロープガイド装置５１の詳細を図５に示す。図６は図５の平面図、図７は図５のＡ矢視図である。
【００７４】
このロープガイド装置５１は、昇降路に設置された２本のレール５９からなる、かご２３用および吊り合い重り２１用のガイドレールに沿って上下方向に移動可能であり、この２本のレール５９に対して転動するガイドローラ６１を両端に備えたローラ支持部６３と、このローラ支持部６３に下部が連結され、上部に吊り合い重り２１とかご２３とを相互に接続するメインロープ２５の端部側が接続されるロープ接続部６５とを備えている。
【００７５】
ローラ支持部６３は、左右のレール５９に対して所定間隔をおいて配置されるベース部６７に対し、左右の可動部６９が、長孔７１によってレール５９に対して接近離反する方向に移動調整可能に取り付けられる。各可動部６９のレール５９側の端部は、上下方向に延長されるローラ保持具７３の上下方向の中心部に連結される。ローラ保持具７３には、上端部に２つ、下端部に２つのローラ６１が回転可能に保持されている。
【００７６】
レール５９は、図６に示すように断面Ｔ字状であり、上部２つのガイドローラ６１および、下部２つのガイドローラ６１が、それぞれレール５９を挟持するように回転可能に配置されている。
【００７７】
ロープ接続部６５は、上端に、図４に示したエンドレスウインチ４７のワイヤ５３を接続するワイヤ接続孔６５ａが設けられ、その下部に、図４（ｂ）に示したメインロープ２５が接続されるロープクリップ７５が複数設けられている。
【００７８】
上記したロープガイド装置５１を使用して図４（ｂ），（ｃ）に示すように、メインロープ２５を引き上げることで、メインロープ２５の昇降路内の機器への絡まりが防止される。
【００７９】
また、ロープガイド装置５１によりメインロープ２５を引き上げる際には、ローブ接続部６５が仮設足場３９の孔３９ａから上部へ突出した状態となり、これに伴いメインロープ２５も孔３９ａから上部へ引き出され、メインロープ２５の機械室２９への引き出し作業が容易となる。
【００８０】
ロープガイド装置５１は、ガイドローラ６１が図５に示すように上下方向に複数配置されているので、レール５９にガイドされて移動する動作が安定したものとなり、メインロープ２５の引き上げ作業が確実に行える。また、ローラ支持部６３は、可動部６９によって長さが調整できるので、２本のレール５９相互間の長さが異なる各種のガイドレールに対応可能である。
【００８１】
図８は、この発明の他の実施の形態を示すエレベータのロープ据付方法を示している。このロープ据付方法は、前記図５に示したロープガイド装置５１を２つ利用したものである。すなわち、２つのロープガイド装置５１を昇降路内にてそれぞれ上下方向にガイドするガイドレールも２つ設けられていることになる。なお、この２つのガイドレールは、かご２３および吊り合い重り２１とそれぞれ兼用のものである。
【００８２】
（１）まず、図８（ａ）に示すように最下階３７にある吊り合い重り２１を、機械室２９の下部に取り付けた吊り上げ手段としてのエンドレスウインチ７７によって吊り上げ、最上階３５まで上昇させる。
【００８３】
（２）その後、図８（ｂ）のように、吊り合い重り２１を機械室２９の下部に取り付けた保持手段としての揚重機７９に吊り代える。次に、エンドレスウインチ７７のワイヤ８１の両端を、前記した２つのロープガイド装置５１のワイヤ接続孔６５ａにそれぞれ接続する。この２つのロープガイド装置５１へのワイヤ８１の接続は、一方のロープガイド装置５１を最下階に位置させてワイヤ８１の一端を接続し、その後、このとき最上階３５付近に位置する他方のロープガイド装置５１を下降させてワイヤ８１の他端を接続する。
【００８４】
上記一方のロープガイド装置５１にワイヤ８１の一端を接続する際に、図８（ｂ）に示すように、最下階３７に配置したメインロープドラム４１から引き出されたメインロープ２５の先端側を、ロープガイド装置５１のロープクリップ７５に接続する。
【００８５】
（３）この状態で、エンドレスウインチ７７の駆動により、図８（ｃ）のようにロープガイド装置５１に接続されているメインロープ２５を引き上げ、さらにその先端を、機械室２９の上部に設置した揚重機８３により機械室２９へ持ち上げる。このとき、ロープガイド装置５１のロープ接続部６５は、前記図４（ｃ）のときと同様に、最上階３５の仮設足場３９の孔３９ａから上部に突出した状態である。
【００８６】
機械室２９へ引き上げたメインロープ２５の先端は、図８（ｄ）のように、巻上機３１のシーブ３３に巻掛けた後、吊り合い重り２１側へ降ろし、吊り合い重り２１に接続する。メインロープ２５の他端は、かご２３に接続する。
【００８７】
（４）図８（ｄ）の状態で、最下階３７にてコンペンロープドラム４３から引き出したコンペンロープ２７の先端を吊り合い重り２１側のロープガイド装置５１に、ロープクリップ７５を介して接続する。
【００８８】
（５）図８（ｅ）のように、エンドレスウインチ７７を駆動して、ロープガイド装置５１に接続されているコンペンロープ２７を最上階３５まで引き上げ、図８（ｆ）のように吊り合い重り２１に接続し、コンペンロープ２７の他端は最下階３７にてかご２３に接続する。
【００８９】
（６）最下階で、かご２３側のロープガイド装置５１に２本目のメインロープ２５ａを図８（ｂ）と同様にしてロープガイド装置５１に接続し、最上階３５へ揚重する。
【００９０】
以後同様にしてメインロープ、コンペンロープを順に引き上げ、すべてのロープをセットする。
【００９１】
上記した例では、メインロープ、コンペンロープを１本ずつ引き上げるようにしたが、複数本同時に据え付けるようにしてもよい。
【００９２】
このうようにすれば、エンドレスウインチ７７を駆動するときには、メインロープかコンペンロープのいずれかを揚重しているので、効率よく作業が行え、最上階でかごに重りを載せたり、その重りを中間階で降ろすなどの煩雑な作業が不要であり、またロープドラムにブレーキ装置を設ける必要もなく、ロープ据付作業が容易なものとなる。
【００９３】
【発明の効果】
以上説明してきたように、請求項１の発明によれば、最上階付近でかごに重りを載せる作業および、中間階でかごから重りを降ろす作業が不要であり、ロープ据付作業が容易にできる。さらに、メインロープの据付作業に並行して、コンペンセーティングロープの据付作業を容易に行うことができる。
【００９４】
請求項２の発明によれば、最上階付近でかごに重りを載せる作業および、中間階でかごから重りを降ろす作業が不要であり、ロープ据付作業が容易にできる。さらに、メインロープの据付作業に並行して、コンペンセーティングロープの据付作業を容易に行うことができる。
【図面の簡単な説明】
【図１】  この発明の実施の一形態をに係わるエレベータのロープ据付方法を示す動作説明図である。
【図２】  この発明の実施の一形態に係わるエレベータのロープ据付方法を示す動作説明図である。
【図３】  この発明の実施の一形態に係わるエレベータのロープ据付方法を示す動作説明図である。
【図４】  図１における（手順１）での吊り合い重りの揚重方法、同（手順２）でのメインロープの引き上げ方法およびセット方法を示す動作説明図である。
【図５】  図４の動作に使用されるロープガイド装置の詳細図である。
【図６】  図５の平面図である。
【図７】  図５のＡ矢視図である。
【図８】  この発明の他の実施の形態に係わるエレベータのロープ据付方法を示す動作説明図である。
【図９】  従来例に係わるエレベータのロープ据付方法を示す動作説明図である。
【符号の説明】
２１  吊り合い重り
２３  かご
２５  メインロープ（第１のメインロープ）
２５ａ  メインロープ（第２のメインロープ）
２７  コンペンロープ（コンペンセーティングロープ）
３１  巻上機
３３  シーブ
３５  最上階
３７  最下階
３９  仮設足場
３９ａ  孔
４１ａ  メインロープドラム
４５  中間階
４７，７７  エンドレスウインチ（吊り上げ手段）
４９，７９  揚重機（保持手段）
５１  ロープガイド装置（ガイド部）
５３，８１  ワイヤ
５９  レール（ガイドレール）
６１  ガイドローラ
６３  ローラ支持部
６５  ロープ接続部
【図１】
0005027970.tif 000002
【図２】
0005027970.tif 000003
【図３】
0005027970.tif 000004
【図４】
0005027970.tif 000005
【図５】
0005027970.tif 000006
【図６】
0005027970.tif 000007
【図７】
0005027970.tif 000008
【図８】
0005027970.tif 000009
【図９】
0005027970.tif 000010